(57)【要約】【課題】本考案は、建造物の上層階側面における任意の位置から設置でき、安定性に優れ作業床の幅を十分に確保でき、物等の落下事故も防止できる二本足の枠組足場を立ち上げることが可能な構成を有する枠組足場用の跳出しブラケットを提供する。【解決手段】本考案の枠組足場用の跳出しブラケット１は、垂直支持管２と、前記垂直支持管２の上部から直角配置で突出させた水平支持管３と、前記垂直支持管２の下部と水平支持管３の突出端側とに傾斜配置に架設した連結補強片４と、前記垂直支持管２に上下配置に設けた一対のクランプ５と、前記垂直支持管の上端から垂直上方に向けて突出させた連結ピン６と、前記水平支持管３から垂直上方に向けて、かつ、前記垂直支持管３の連結ピン６と所定の間隔を隔て突出させた２個の連結ピン８ａ、８ｂと、を有するものである。【選択図】図１
0003195041.tif 000002
【実用新案登録請求の範囲】
【請求項１】
垂直支持管と、
前記垂直支持管の上部から直角配置で突出させた水平支持管と、
前記垂直支持管の下部と水平支持管の突出端側とに傾斜配置に架設した連結補強片と、
前記垂直支持管に上下配置に設けた一対のクランプと、
前記垂直支持管の上端から垂直上方に向けて突出させた連結ピンと、
前記水平支持管から垂直上方に向けて、かつ、前記垂直支持管の連結ピンと所定の間隔を隔て突出させた２個の連結ピンと、
を有する枠組足場用の跳出しブラケットであって、
垂直固定配置で所定の間隔をもって起立した複数の単管パイプに前記各クランプを連結することで、複数の枠組足場用の跳出しブラケットを各々地上から同一高さで固定配置し、前記各枠組足場用の跳出しブラケットの少なくとも２個の連結ピン上に枠組足場を構築可能としたことを特徴とする枠組足場用の跳出しブラケット。
【請求項２】
垂直支持管と、
前記垂直支持管の上部から直角配置で突出させた水平支持管と、
前記垂直支持管の下部と水平支持管の突出端側とに傾斜配置に架設した連結補強片と、
垂直支持管に上下配置に設けた一対のクランプと、
前記垂直支持管の上端から垂直上方に向けて突出させた連結ピンと、
前記水平支持管から垂直上方に向けて、かつ、前記垂直支持管の連結ピンと所定の間隔を隔て突出させた２個の連結ピンと、
を有する枠組足場用の跳出しブラケットであって、
水平張り出し部がある建造物の前記水平張り出し部の下部に、外側の垂直支柱が前記水平張り出し部の垂直端面より外方に位置する状態で下部枠組足場を設置し、
前記下部枠組足場の垂直の脚柱に前記各クランプを連結することで、複数の枠組足場用の跳出しブラケットを各々地上から同一高さで固定配置し、前記各枠組足場用の跳出しブラケットの少なくとも２個の連結ピン上に、前記水平張り出し部の垂直端面に沿う状態で枠組足場を構築可能としたことを特徴とする枠組足場用の跳出しブラケット。
【請求項３】
前記水平支持管に設けた２個の連結ピンは、前記水平支持管に対して鞘構造でスライド可能であることを特徴とする請求項１又は２記載の枠組足場用の跳出しブラケット。
【請求項４】
枠組足場構造体
垂直支持管と、前記垂直支持管の上部から直角配置で突出させた水平支持管と、前記垂直支持管の下部と水平支持管の突出端側とに傾斜配置に架設した連結補強片と、前記垂直支持管に上下配置に設けた一対のクランプと、前記垂直支持管の上端から垂直上方に向けて突出させた連結ピンと、前記水平支持管から垂直上方に向けて、かつ、前記垂直支持管の連結ピンと所定の間隔を隔て突出させた２個の連結ピンと、を有し、垂直固定配置で所定の間隔をもって起立した複数の単管パイプに前記各クランプを連結して各々地上から同一高さで固定配置した複数の枠組足場用の跳出しブラケットと、
複数の跳出しブラケットの各水平支持管の少なくとも２個ずつの連結ピン上に構築した枠組足場と、
を有することを特徴とする枠組足場用の跳出しブラケットを用いた枠組足場構造体。
【請求項５】
前記水平支持管に設けた２個の連結ピンは、前記水平支持管に対して鞘構造でスライド可能であることを特徴とする請求項４記載の枠組足場用の跳出しブラケットを用いた枠組足場構造体。
【請求項６】
垂直支持管と、
前記垂直支持管の上部から直角配置で突出させた水平支持管と、
前記水平支持管に対して前記垂直支持管と所定の間隔を隔て、かつ、平行配置に上端部を連結し、かつ、挟み込み用の締め付け金具を備える垂直補助管と、
前記垂直補助管の下部と水平支持管の突出端側とに傾斜配置に架設した連結補強片と、
前記垂直支持管に上下配置に設けた一対のクランプと、
前記水平支持管から垂直上方に向けて所定の間隔を隔て突出させた３個の連結ピンと、
を有する枠組足場用のベランダブラケットであって、
前記垂直支持管と垂直補助管とによりベランダの垂直壁部を挟み込み締め付け金具により固着するとともに、前記水平支持管をベランダの垂直壁部外方に突出させることで、前記水平支持管に設けた少なくとも２個の連結ピン上に前記垂直壁部に沿った枠組足場を構築可能としたことを特徴とする枠組足場用のベランダブラケット。
【請求項７】
前記一対のクランプを、前記枠組足場用のベランダブラケットを取り付けたベランダの床面と、その上層階のベランダの底面とに垂直配置に起立した補強用単管パイプに連結するように構成したことを特徴とする請求項６記載の枠組足場用のベランダブラケット。
【請求項８】
垂直支持管と、
前記垂直支持管の上部から直角配置で突出させた水平支持管と、
前記水平支持管に対して前記垂直支持管と所定の間隔を隔て、かつ、平行配置に上端部を連結し、かつ、挟み込み用の締め付け金具を備える垂直補助管と、
前記垂直支持管、垂直補助管の下端を連結する形態で着脱可能に配置したアタッチメントと、
前記垂直補助管の下部と水平支持管の突出端側とに傾斜配置に架設した連結補強片と、
前記垂直支持管に上下配置に設けた所要数のクランプと、
前記水平支持管から垂直上方に向けて所定の間隔を隔て突出させた３個の連結ピンと、
を有する枠組足場用のベランダブラケットであって、
前記アタッチメントを外した状態で、前記垂直支持管と垂直補助管とによりベランダの垂直壁部を挟み込み締め付け金具により固着するとともに、前記水平支持管をベランダの垂直壁部外方に突出させることで、前記水平支持管に設けた少なくとも２個の連結ピン上に前記垂直壁部に沿った枠組足場を構築可能とするとともに、
前記アタッチメントを取り付けた状態でこの枠組足場用のベランダブラケットを直接枠組足場に取り付け少なくとも２個の連結ピン上に枠組足場を構築可能としたことを特徴とする枠組足場用のベランダブラケット。
【請求項９】
前記水平支持管に設けた少なくとも１個の連結ピンは、前記水平支持管に対して鞘構造でスライド可能であることを特徴とする請求項６乃至８のいずれか１項に記載の枠組足場用のベランダブラケット。
【請求項１０】
垂直支持管と、前記垂直支持管の上部から直角配置で突出させた水平支持管と、前記水平支持管に対して前記垂直支持管と所定の間隔を隔て、かつ、平行配置に上端部を連結し、かつ、挟み込み用の締め付け金具を備える垂直補助管と、前記垂直補助管の下部と水平支持管の突出端側とに傾斜配置に架設した連結補強片と、前記垂直支持管に上下配置に設けた一対のクランプと、前記水平支持管から垂直上方に向けて所定の間隔を隔て突出させた３個の連結ピンと、を有し、前記垂直支持管と垂直補助管とによりベランダの垂直壁部を挟み込み締め付け金具により固着するとともに、前記水平支持管をベランダの垂直壁部外方に突出させた複数の枠組足場用のベランダブラケットと、
前記複数の枠組足場用のベランダブラケットの各水平支持管に設けた少なくとも２個の連結ピン上に前記垂直壁部に沿って構築した枠組足場と、
を有することを特徴とする枠組足場用のベランダブラケットを用いた枠組足場構造体。
【請求項１１】
前記一対のクランプを、前記枠組足場用のベランダブラケットを取り付けたベランダの床面と、その上層階のベランダの底面とに垂直配置に起立した補強用単管パイプに連結するように構成したことを特徴とする請求項１０記載の枠組足場用のベランダブラケットを用いた枠組足場構造体。
【請求項１２】
前記水平支持管に設けた少なくとも１個の連結ピンは、前記水平支持管に対して鞘構造でスライド可能であることを特徴とする請求項１０又は１１のいずれかに記載の枠組足場用のベランダブラケットを用いた枠組足場構造体。
【考案の詳細な説明】
【技術分野】
【０００１】
本考案は、枠組足場用の跳出しブラケット、該跳出しブラケットを用いた枠組足場構造体、及び枠組足場用のベランダブラケット、該ベランダブラケットを用いた枠組足場構造体に関し、詳しくは、地上階から２階以上の上層階にわたって順に枠組足場を構築する必要が無く、上層階の壁面やベランダに直接枠組足場を構築することを可能とする枠組足場用の跳出しブラケット、該跳出しブラケットを用いた枠組足場構造体、及び枠組足場用のベランダブラケット、該ベランダブラケットを用いた枠組足場構造体に関するものである。
【背景技術】
【０００２】
従来、多層階の建造物の外壁やベランダ等の修繕や塗装工事等を行う際には、この建造物の外壁やベランダ等に沿って一階から上層階にわたって順に枠組足場を構築することが一般に行われる。
【０００３】
このような枠組足場構築の技術分野においては、従来からベランダの垂直壁や枠組足場から外方に跳ね出す構造のブラケットを用い、このブラケット上に単管パイプ等の部材を用いて足場を構築ことが従来においても実施されている。
【０００４】
しかし、従来のブラケットを使用する場合、このブラケットに対して単管パイプ等の部材を一箇所しか設置することができず、この結果、そこから組み立てる足場は、必然的に一側足場とならざるを得なかった。
【０００５】
一側足場は、いわゆる一本足の状態で足場が立ち上がるため、非常に不安定な上、足場組み立て作業中の危険度も非常に高いものであった。
【０００６】
更に詳述すると、従来のブラケットを使用する場合、その構造上、直径４８．６ｍｍの単管パイプ等の部材を一箇所しか設置することができず、結果として足場は、必然的に一側足場とならざるを得ず、この一側足場では安全性を考慮し、原則的に作業床となる足揚板の幅が２５０ｍｍ〜５００ｍｍと狭小となってしまう。
【０００７】
すなわち、このような一側足場は、不安定な上、足揚板の幅も狭く、物等が落下することにより生じる物的災害の危険度が非常に高くなってしまう。
【０００８】
一方、通常の二本足の枠組足場を設置する場合には、以下のような問題がある。
【０００９】
例えば、狭小池でのマンション敷地内においては、ある程度の駐車場スペースを確保するため、電動式立体駐車場が設けられたケースが非常に多い。
【００１０】
そのような場所で大規模修繕工事等を施工する際に、二本足の枠組足場を地上階から上層階にわたって設置すると、更に敷地内スペースが狭くなるため、駐車場における車両の出入りが非常に困難となる。また、場合によっては、枠組足場の存在が歩行者の歩行の妨げとなる場合も生じてしまう。
【００１１】
特許文献１には、マンション等の各階の外周壁の内、ベランダ等のコンクリート床の外端部より立ち上がる上端開放のコンクリート防護壁の上端部に取り付けて使用する枠組み足場建枠の支持金具であって、上記防護壁に対し上端側から下向きに嵌め込むことができる下向きコ字型の嵌め止め部と、該嵌め止め部の外側辺部の上端部から外方へ水平に延出するブラケット部とを備え、嵌め止め部には前後の両側辺部の少なくとも一方側に該嵌め止め部を上記防護壁に対し締め付け固定するためのクランプねじを、また上辺部に嵌め止め部の取り付け高さを調整するための調整ねじをそれぞれ備え、上記ブラケット部の基端側と先端側とに枠組み足場建枠の前後一対の脚柱を脚柱ジョイントを介し接続固定するための前後一対の接合管部を備える構成の枠組み足場建枠の支持金具が提案されている。
【００１２】
しかし、この枠組み足場建枠の支持金具の場合、ブラケット部の基端側と先端側とに枠組み足場建枠の前後一対の脚柱を装着するための前後一対の接合管部を備える構成であることから、市場に出回っている寸法サイズがメーターサイズ、インチサイズと二種に分かれている枠組足場に直ちに対応できないという問題を包含している。
【先行技術文献】
【特許文献】
【００１３】
【特許文献１】特開平１１−１８２０２３号公報
【考案の概要】
【考案が解決しようとする課題】
【００１４】
本考案が解決しようとする問題点は、建造物の上層階側面の任意の位置から設置することができ、安定性に優れ作業床の幅を十分に確保でき、物等の落下事故も防止できる二本足の枠組足場を立ち上げることが可能であり、敷地内地上スペースの減少を生じさせることもない枠組足場を構築できるような枠組足場用の跳出しブラケットが従来存在しない点である。
【課題を解決するための手段】
【００１５】
本考案に係る枠組足場用の跳出しブラケットは、垂直支持管と、前記垂直支持管の上部から直角配置で突出させた水平支持管と、前記垂直支持管の下部と水平支持管の突出端側とに傾斜配置に架設した連結補強片と、前記垂直支持管に上下配置に設けた一対のクランプと、前記垂直支持管の上端から垂直上方に向けて突出させた連結ピンと、前記水平支持管から垂直上方に向けて、かつ、前記垂直支持管の連結ピンと所定の間隔を隔て突出させた２個の連結ピンと、を有する枠組足場用の跳出しブラケットであって、垂直固定配置で所定の間隔をもって起立した複数の単管パイプに前記各クランプを連結することで、複数の枠組足場用の跳出しブラケットを各々地上から同一高さで固定配置し、前記各枠組足場用の跳出しブラケットの少なくとも２個の連結ピン上に枠組足場を構築可能としたことを最も主要な特徴とする。
【考案の効果】
【００１６】
請求項１記載の考案によれば、建造物の壁面に沿って配置した単管パイプを利用して、二本足で立ち上がる枠組足場ユニットを建造物の上層階側面みおける任意の位置から上方に向けて設置することが可能な枠組足場用の跳出しブラケットを実現し提供することができる。
【００１７】
請求項２記載の考案によれば、水平張り出し部がある建造物に対して、その水平張り出し部の横に二本足で立ち上がる枠組足場ユニットを上方に向けて設置することが可能な枠組足場用の跳出しブラケットを実現し提供することができる。
【００１８】
請求項３記載の考案によれば、跳出しブラケットを構成する水平支持管に設けた２個の連結ピンを、水平支持管に対して鞘構造でスライド可能としているので、枠組足場ユニットのサイズがメーターサイズ、インチサイズのいずれの場合においても組み立て現場にて速やかに対応することが可能な枠組足場用の跳出しブラケットを実現し提供することができる。
【００１９】
請求項４、５記載の考案によれば、建造物の壁面に沿って配置した単管パイプ、及び跳出しブラケットを利用して、二本足で立ち上がる枠組足場ユニットを建造物の上層階側面の任意の位置から上方に向けて設置でき、安定性に優れ、足場板の幅を十分に確保することができ、また、物等の落下事故も防止することも可能であり、敷地内地上スペースの減少を生じさせることが無く、歩行者の走行障害や駐車場スペース狭小化、車両の入出庫制約という不都合な事態の発生を回避することも可能であり、更に、枠組足場ユニットのサイズがメーターサイズ、インチサイズのいずれの場合においても組み立て現場にて速やかに対応することが可能な枠組足場用の跳出しブラケットを用いた枠組足場構造体を実現し提供することができる。
【００２０】
請求項６記載の考案によれば、建造物の二階、三階等のような上層階のベランダの外側に、二本足で立ち上がる枠組足場ユニットを上方に向けて設置することが可能な枠組足場用のベランダブラケットを実現し提供することができる。
【００２１】
請求項７記載の考案によれば、一対のクランプを、ベランダブラケットを取り付けたベランダの床面と、その上層階のベランダの底面とに垂直配置に起立した補強用単管パイプに連結するように構成したので、枠組足場の支持構造を強固にすることができる枠組足場用のベランダブラケットを実現し提供することができる。
【００２２】
請求項８記載の考案によれば、建造物の二階、三階等のような上層階のベランダの外側に、二本足で立ち上がる枠組足場ユニットを上方に向けて設置することが可能であり、また、直接既存の枠組足場ユニットに取り付け少なくとも２個の連結ピン上に枠組足場ユニットを構築可能である枠組足場用のベランダブラケットを実現し提供することができる。
【００２３】
請求項９記載の考案によれば、水平支持管に設けた少なくとも１個の連結ピンは、前記水平支持管に対して鞘構造でスライド可能としたので、枠組足場ユニットのサイズがメーターサイズ、インチサイズのいずれの場合においても組み立て現場にて速やかに対応することが可能な枠組足場用のベランダブラケットを実現し提供することができる。
【００２４】
請求項１０記載の考案によれば、建造物の二階、三階等のような上層階のベランダを利用して、ベランダブラケットを用いて二本足で立ち上がる枠組足場ユニットを上方に向けて設置することが可能であり、歩行者Ｍの走行障害や駐車場スペース狭小化、車両Ｃの入出庫制約というような不都合な事態の発生を回避しつつ確実に実施することが可能であり、更に、安定性に優れ、足場板の幅を十分に確保することができ、物等の落下事故も防止することも可能な枠組足場用のベランダブラケットを用いた枠組足場構造体を実現し提供することができる。
【００２５】
請求項１１記載の考案によれば、一対のクランプを、前記枠組足場用のベランダブラケットを取り付けたベランダの床面と、その上層階のベランダの底面とに垂直配置に起立した補強用単管パイプに連結するように構成したので、強固な支持構造とした枠組足場用のベランダブラケットを用いた枠組足場構造体を実現し提供することができる。
【００２６】
請求項１２記載の考案によれば、水平支持管に設けた少なくとも１個の連結ピンは、前記水平支持管に対して鞘構造でスライド可能としたので、枠組足場ユニットのサイズがメーターサイズ、インチサイズのいずれの場合においても組み立て現場にて速やかに対応することが可能な枠組足場用のベランダブラケットを用いた枠組足場構造体を実現し提供することができる。
【図面の簡単な説明】
【００２７】
【図１】図１は本考案の実施例１に係る枠組足場用の跳出しブラケットの概略正面図である。
【図２】図２は本実施例１に係る枠組足場用の跳出しブラケットの概略平面図である。
【図３】図３は本実施例１に係る枠組足場用の跳出しブラケットにおけるスライド可能とした２個の連結ピンの構造を示す概略正面図である。
【図４】図４は本実施例１に係る枠組足場用の跳出しブラケットにおけるスライド可能とした２個の連結ピンの構造を示す概略平面図である。
【図５】図５は本実施例１に係る枠組足場用の跳出しブラケットを用いて建造物の上層階に狭幅の枠組足場を構築した例を示す概略斜視図である。
【図６】図６は本実施例１に係る枠組足場用の跳出しブラケットを用いて建造物の上層階に広幅の枠組足場を構築した例を示す概略側面図である。
【図７】図７は本実施例１に係る枠組足場用の跳出しブラケットを、水平張り出し部がある建造物に設置した下部枠組足場に取り付け、水平張り出し部の外側位置に狭幅の枠組足場を構築した例を示す概略側面図である。
【図８】図８は本考案の実施例２に係る枠組足場用のベランダブラケットの概略正面図である。
【図９】図９は本実施例２に係る枠組足場用のベランダブラケットの概略平面図である。
【図１０】図１０は本実施例２に係る枠組足場用のベランダブラケットを複数個用いて建造物の上層階のベランダに狭幅の枠組足場を構築した例を示す概略斜視図である。
【図１１】図１１は本実施例２に係る枠組足場用のベランダブラケットを用いて建造物の上層階のベランダに広幅の枠組足場を構築した例を示す概略側面図である。
【図１２】図１２は本考案の実施例２の変形例に係る枠組足場用のベランダブラケットの概略正面図である。
【図１３】図１３は本実施例２の変形例に係る枠組足場用のベランダブラケットの概略平面図である。
【考案を実施するための形態】
【００２８】
本考案は、建造物の上層階側面の任意の位置から設置でき、安定性に優れ作業床の幅を十分に確保でき、敷地内地上スペースの減少を生じさせることもない枠組足場を構築し得る枠組足場用の跳出しブラケットを実現し提供するという目的を、垂直支持管と、前記垂直支持管の上部から直角配置で突出させた水平支持管と、前記垂直支持管の下部と水平支持管の突出端側とに傾斜配置に架設した連結補強片と、前記垂直支持管に上下配置に設けた一対のクランプと、前記垂直支持管の上端から垂直上方に向けて突出させた連結ピンと、前記水平支持管から垂直上方に向けて、かつ、前記垂直支持管の連結ピンと所定の間隔を隔て突出させた２個の連結ピンと、を有する枠組足場用の跳出しブラケットであって、垂直固定配置で所定の間隔をもって起立した複数の単管パイプに前記各クランプを連結することで、複数の枠組足場用の跳出しブラケットを各々地上から同一高さで固定配置し、前記各枠組足場用の跳出しブラケットの少なくとも２個の連結ピン上に枠組足場を構築可能とし、かつ、前記水平支持管に設けた２個の連結ピンは、この水平支持管に対して鞘構造でスライド可能とした構成により実現した。
【実施例】
【００２９】
以下、本考案の実施例に係る枠組足場用の跳出しブラケット、該跳出しブラケットを用いた枠組足場構造体、及び枠組足場用のベランダブラケット、該ベランダブラケットを用いた枠組足場構造体について図面を参照して詳細に説明する。
【００３０】
（実施例１）
本考案の実施例１に係る枠組足場用の跳出しブラケット、該跳出しブラケットを用いた枠組足場構造体について、図１乃至図７を参照して説明する。
【００３１】
本実施例１に係る枠組足場用の跳出しブラケット１は、図１乃至図４に示すように、例えば３００ｍｍの長さで、直径４２．７ｍｍとした垂直支持管２と、前記垂直支持管２の上部から直角配置で水平方向に突出させた例えば３００ｍｍの長さで、直径４２．７ｍｍとした水平支持管３と、前記垂直支持管２の下部と水平支持管３の突出端側とに傾斜配置に架設した連結補強片４と、前記垂直支持管２における前記水平支持管３とは反対側に上下配置に設けた一対のクランプ５、５と、前記垂直支持管２の上端から垂直上方に向けて例えばねじ込み等により着脱可能に突出させた例えば直径３６．４ｍｍに形成され、かつ、垂直支持管２のねじ込み端側に直径４２．７ｍｍの脚柱受体７を備える連結ピン６と、前記水平支持管３における前記連結補強片４の連結部よりも垂直支持管２側の位置と、前記水平支持管３の突出端近傍位置との２箇所から垂直上方に向けて、かつ、所定の間隔を隔て突出させた例えば直径３６．４ｍｍの２個の連結ピン８ａ、８ｂと、を有している。
【００３２】
前記２個の連結ピン８ａ、８ｂは、前記水平支持管３に対して鞘構造で水平方向にスライド可能としている。
【００３３】
前記２個の連結ピン８ａ、８ｂのスライド構造について、図１、図２、及び図３、図４を参照して説明する。
【００３４】
前記２個の連結ピン８ａ、８ｂは、例えば長さ３７０ｍｍ、直径３６．４ｍｍのスライド管１２の両端部近傍位置に例えばねじ込み等により着脱可能に取り付けられるように構成している。
【００３５】
また、前記２個の連結ピン８ａ、８ｂは、前記連結ピン６の場合と同様に、各々ねじ込み端側に直径４２．７ｍｍの脚柱受体９を備えている。
【００３６】
一方、前記水平支持管３における前記連結補強片４の連結部よりも垂直支持管２側の位置で、かつ、前記連結部と反対側の位置と、水平支持管３の突出端近傍位置とには、横並びで一対の長穴１０ａ、１０ｂが穿設されている。
【００３７】
一対の長穴１０ａ、１０ｂの短径は例えば３６．４ｍｍ以上、長径は例えば５２．４ｍｍに設定している。
【００３８】
そして、スライド管１２を前記水平支持管３内に嵌装し、その両端部を前記一対の長穴１０ａ、１０ｂに臨ませた状態で、脚柱受体９を備える連結ピン８ａ、８ｂを各々長穴１０ａ、１０ｂを貫通させる状態でスライド管１２の両端部にねじ込むことで、図１に示すように、前記連結ピン８ａ、８ｂを前記一対の長穴１０ａ、１０ｂの長径寸法の範囲内で前記水平支持管３に沿って水平方向にスライド可能としている。
【００３９】
前記２個の連結ピン８ａ、８ｂを上述したようなスライド構造とするのは、二足タイプの枠組足場の規格サイズがメーターサイズとインチサイズとの二通りあることを考慮して、いずれのサイズの枠組足場に対しても組み立て現場で速やかに対応可能とするためである。
【００４０】
次に、本実施例１に係る枠組足場用の跳出しブラケット１を用いた枠組足場構造体１１について図５を参照して説明する。
【００４１】
図５に示す枠組足場構造体１１は、例えば、地面Ｆ上で建造物２１の壁面に沿って、垂直固定配置で公知の手法で所定の間隔をもって起立した例えば３個の単管パイプ２２に対して、３個の跳出しブラケット１を各々同一高さ（例えば建造物２１の２階の床の高さ）で取り付け、各跳出しブラケット１上に、詳細構造は省略するが、各々公知の枠組足場ユニット２３を垂直配置に取り付け、各枠組足場ユニット２３間に足場板２５を架け渡して構成したものである。
【００４２】
すなわち、図５に示す枠組足場構造体１１においては、各跳出しブラケット１のクランプ５、５を用いて垂直支持管２を単管パイプ２２に連結することで、各跳出しブラケット１を地面Ｆの上方の同一の高さ位置に取り付け、この各跳出しブラケット１の上に各枠組足場ユニット２３を設置するものである。
【００４３】
この場合、図５に示す例では、前記枠組足場ユニット２３における直径４２．７ｍｍの一方の脚柱２４を跳出しブラケット１における垂直支持管２の上端の連結ピン６に、直径４２．７ｍｍの他方の脚柱２４を跳出しブラケット１における前記連結ピン６に近い側の連結ピン８ａに各々嵌着して枠組足場ユニット２３を起立配置した場合を示している。
【００４４】
このような構造により、前記枠組足場ユニット２３の一対の脚柱２４、２４間の間隔がメーターサイズ規格で例えば６００ｍｍの狭幅サイズである場合に対応した枠組足場構造体１１を構築することができる。
【００４５】
また、前記枠組足場ユニット２３が、図示しないが、インチサイズである場合には、前記２個の連結ピン８ａ、８ｂのスライド構造を利用して、前記連結ピン８ａをスライドさせて前記連結ピン６との間隔を変更することで対応するものである。
【００４６】
本実施例１に係る枠組足場用の跳出しブラケット１、及び該跳出しブラケット１を用いた枠組足場構造体１１によれば、建造物２１の壁面に沿って配置した単管パイプ２２、前記跳出しブラケット１を利用して、枠組足場ユニット２３を建造物２１の上層階側面の任意の位置から上方に向けて設置でき、安定性に優れ、足場板２５の幅を十分に確保することができ、また、物等の落下事故も防止することも可能となる。
【００４７】
更に、図５に示すように、枠組足場ユニット２３や足場板２５が地面Ｆ又は地面Ｆの近くに存在せず、例えば建造物２１の上層階の位置に存在することになるため、敷地内地上スペースの減少を生じさせることが無く、歩行者Ｍの走行障害や駐車場スペース狭小化、車両Ｃの入出庫制約という不都合な事態の発生を回避することもできる。
【００４８】
更にまた、本実施例１に係る枠組足場用の跳出しブラケット１、及び該跳出しブラケット１を用いた枠組足場構造体１１によれば、上層階では通常通りの工事作業等が可能であるとともに、枠組足場ユニット２３や足場板２５が上層階に存在することから不審者等の侵入訪止を図ることも可能となる。
【００４９】
次に、図６を参照して、本実施例１に係る枠組足場用の跳出しブラケット１を用いた枠組足場構造体１１の別の設置例について説明する。
【００５０】
図６に示す例は、基本的には図５に示す場合と同様であるが、前記枠組足場ユニット２３における一方の脚柱２４を跳出しブラケット１における垂直支持管２の上端の連結ピン６に、他方の脚柱２４を跳出しブラケット１における前記連結ピン６から遠い側の連結ピン８ｂに各々嵌着して枠組足場ユニット２３を起立配置した場合を示している。
【００５１】
このような構造により、前記枠組足場ユニット２３の一対の脚柱２４、２４間の間隔がメーターサイズ規格で例えば９００ｍｍの広幅サイズである場合に対応した枠組足場構造体１１を構築することができる。
【００５２】
この場合も、前記枠組足場ユニット２３が、図示しないが、インチサイズである場合には、前記２個の連結ピン８ａ、８ｂのスライド構造を利用して、前記連結ピン８ｂをスライドさせて前記連結ピン６との間隔を変更することで対応するものである。
【００５３】
図６に示すような態様で、前記跳出しブラケット１を用い、枠組足場構造体１１を構築した場合も、図５に示す場合と同様な作用、効果を発揮させることができる。
【００５４】
次に、図７を参照して、本実施例１に係る枠組足場用の跳出しブラケット１を用いた枠組足場構造体１１の更に別の設置例について説明する。
【００５５】
図７に示す設置例は、水平張り出し部３２がある建造物３１に対して跳出しブラケット１を用いた枠組足場構造体１１を設置する場合を示すものである。
【００５６】
すなわち、前記水平張り出し部３２の下部に、枠組足場ユニット２３Ａの外側の垂直の脚柱２４が前記水平張り出し部３２の垂直端面より外方に位置する状態で公知の構造からなる下部枠組足場４１を設置し、前記下部枠組足場４１の垂直の脚柱２４に跳出しブラケット１の垂直支持管２をクランプ５、５を用いて連結している。
【００５７】
そして、枠組足場ユニット２３における一方の脚柱２４を跳出しブラケット１における垂直支持管２の上端の連結ピン６に、他方の脚柱２４を跳出しブラケット１における前記連結ピン６に近い側の連結ピン８ａに各々嵌着して枠組足場ユニット２３を起立配置し、図５に示す場合と同様な狭幅サイズ対応した枠組足場構造体１１を構築したものである。
【００５８】
この場合においても、前記枠組足場ユニット２３が、インチサイズである場合においても、前記２個の連結ピン８ａ、８ｂのスライド構造を利用して、前記連結ピン８ａをスライドさせて前記連結ピン６との間隔を変更することで対応可能としている。
【００５９】
図７に示すような態様で、前記跳出しブラケット１を用い、枠組足場構造体１１を前記水平張り出し部３２の横位置に構築した場合においても、図５に示す場合と略同様な作用、効果を発揮させることができる。
【００６０】
（実施例２）
次に、本考案の実施例２に係る枠組足場用のベランダブラケット５１、該ベランダブラケット５１を用いた枠組足場構造体７１について、図８乃至図１１を参照して説明する。
【００６１】
本実施例２に係る枠組足場用のベランダブラケット５１は、図８、図９に示すように、
例えば５００ｍｍの長さで、直径５０ｍｍとした垂直支持管５２と、前記垂直支持管５２の上部から直角配置で水平方向に突出させた例えば１４３０ｍｍの長さで、直径４２．７ｍｍとし鋼製布板２５Ａの使用を可能とした水平支持管５３と、前記水平支持管５３に対して前記垂直支持管５２と所定の間隔（例えば対向する内側端面間の間隔２５０ｍｍ）を隔て、かつ、平行配置に上端部を連結し、かつ、挟み込み用の一対の締め付け金具５５、５５を上下配置に備える垂直補助管５４と、前記垂直補助管５４の下部近くの位置と前記水平支持管５３の突出端側とに傾斜配置に架設した連結補強片５６と、前記垂直支持管５２に上下配置に取り付けた一対のクランプ５７、５７と、前記水平支持管５３から垂直上方に向けて所定の間隔を隔て、かつ、ねじ込み等により着脱可能に突出させた３個の連結ピン５８ａ、５８ｂ、５８ｃと、を有している。
【００６２】
前記３個の連結ピン５８ａ、５８ｂ、５８ｃの配置について説明すると、前記連結ピン５８ａは、水平支持管５３の垂直支持管２側の端部から例えば略４６０ｍｍの位置に、前記連結ピン５８ｂは連結ピン５８ａから略６１０ｍｍの位置に、前記連結ピン５８ｃは連結ピン５８ｂから略３００ｍｍの位置に設けている。
【００６３】
また、前記３個の連結ピン５８ａ、５８ｂ、５８ｃは、実施例１の場合と同様に、各々直径３６．４ｍｍに形成され、かつ、水平支持管５３側のねじ込み端に直径４２．７ｍｍの脚柱受体５９を備えている。
【００６４】
更に、前記脚柱受体５９を備える連結ピン５８ａは、既述した実施例１の連結ピン８ａ、８ｂの場合と同様に水平支持管５３に対してスライド構造に構成している。
【００６５】
すなわち、図８、図９に示すように、前記連結ピン５８ａは、例えば長さ６０ｍｍ、直径４５ｍｍのスライド管６０の中央部にねじ込み等により着脱可能に取り付けられるように構成している。
【００６６】
一方、前記水平支持管５３における端部から略４６０ｍｍの位置には、一個の長穴６１が穿設されている。この長穴６１の短径は例えば３８．４ｍｍ以上、長径は例えば５２．４ｍｍに設定している。
【００６７】
そして、スライド管６０を前記水平支持管５３内に嵌装し、その中央部を前記長穴６１に臨ませた状態で、脚柱受体５９を備える連結ピン５８ａを長穴６１貫通させる状態でスライド管６０にねじ込むことで、図９に示すように、前記連結ピン５８ａを長穴６１の長径寸法の範囲内で前記水平支持管５３に沿って水平方向にスライド可能としている。
【００６８】
前記連結ピン５８ａを上述したようなスライド構造とするのは、既述した場合と同様、二足タイプの枠組足場の規格サイズがメーターサイズとインチサイズとの二通りあることを考慮して、いずれのサイズの枠組足場に対しても組み立て現場で速やかに対応可能とするためである。
【００６９】
次に、上述した枠組足場用のベランダブラケット５１を用いた枠組足場構造体７１について図１０を参照して説明する。
【００７０】
図１０に示す枠組足場構造体７１は、例えば、一階ベランダＢ１、二階ベランダＢ２等を備える建造物８１において、例えば、二階ベランダＢ２の垂直壁部７２を、ベランダブラケット５１の垂直支持管５２と垂直補助管５４とにより挟み込み、締め付け金具５５、５５を締め付けることで、このベランダブラケット５１の水平支持管５３が前記垂直壁部７２から水平外方に突出するように固着し、このようなベランダブラケット５１を所定の間隔を有する２個並列配置とした上で、これらベランダブラケット５１、５１上に、詳細構造は省略するが、各々公知の枠組足場ユニット２３を２個垂直配置に取り付け、各枠組足場ユニット２３間に足場板の一種である鋼製布板２５Ａを架け渡して構成したものである。
【００７１】
この場合、図１０に示す例では、前記枠組足場ユニット２３における一方の脚柱２４をベランダブラケット５１における連結ピン５８ａに、他方の脚柱２４を連結ピン５８ｂに各々嵌着して枠組足場ユニット２３を起立配置した場合を示している。
【００７２】
このような構造により、前記枠組足場ユニット２３の一対の脚柱２４、２４間の間隔がメーターサイズ規格で例えば６００ｍｍの狭幅サイズである場合に対応した枠組足場構造体７１を構築することができる。
【００７３】
図１０に示す枠組足場構造体７１において、水平支持管５３として直径４２．７ｍｍものを採用し、前記鋼製布板２５Ａを使用可能としたことにより、以下のような効果を発揮させることができる。
【００７４】
すなわち、通常の足場板２５では、足場板を重ねて設置するため、重ねた箇所に重ねた厚みが段差となり、作業員の通行時、躓き転倒の恐れがあり、また、敷き並べた足場板２５を固定、及び、飛散しないよう、番線結束がその都度必要となる。
【００７５】
これに対して、鋼製布板２５Ａを使用する場合には、隙間なく足場通路を完成させることができるりで、上述したような不都合は無く、設置した時点で飛散防止のロックがかかり、作業員の安全性に優れている。
【００７６】
また、前記枠組足場ユニット２３が、図示しないが、インチサイズである場合には、前記連結ピン５８ａのスライド構造を利用して、前記連結ピン５８ａをスライドさせて前記連結ピン５８ｂとの間隔を変更することで対応するものである。
【００７７】
本実施例２に係る枠組足場用のベランダブラケット５１、該ベランダブラケット５１を用いた枠組足場構造体７１によれば、例えば、マンション等の建造物８１において、二階、三階等のような上層階の一部だけ緊急に修繕対処しなければならない箇所が有り、足場が必要であるような事態が生じた場合に、上層階のみにベランダブラケット５１を用いた枠組足場構造体７１を構築することによって、当該上層階の修繕箇所の工事を地面や一階の部分に何等の影響を及ぼすことなく、すなわち、歩行者Ｍの走行障害や駐車場スペース狭小化、車両Ｃの入出庫制約というような不都合な事態の発生を回避しつつ確実に実施することが可能となる。
【００７８】
また、本実施例２に係る枠組足場用のベランダブラケット５１、該ベランダブラケット５１を用いた枠組足場構造体７１によれば、安定性に優れ、鋼製布板２５Ａの幅を十分に確保することができ、また、物等の落下事故も防止することも可能となるという効果も奏する。
【００７９】
次に、本実施例２に係る枠組足場用のベランダブラケット５１を用いた別の枠組足場構造体７１Ａの構築例について図１１を参照して説明する。
【００８０】
図１１に示す構築例は、基本的には図１０に示す場合と同様であるが、例えば、一階ベランダＢ１乃至六階ベランダＢ６等を備える建造物８１Ａにおいて、前記ベランダブラケット５１を所要数用いて、二階ベランダＢ２と三階ベランダＢ３の外側、四階ベランダＢ４と五階ベランダＢ５の外側というように二層ずつにわたって枠組足場ユニット２３を二段配置とした枠組足場構造体７１Ａを構築したことが特徴である。
【００８１】
また、図１１に示す各枠組足場構造体７１Ａの構築例の場合、例えば二階ベランダＢ２の床面７３と、三階ベランダＢ３の底面７４とに補強用単管パイプ７５を垂直配置に、かつ、固定状態で起立させ、補強用単管パイプ７５にベランダブラケット５１の一対のクランプ５７、５７を連結することで、ベランダブラケット５１の支持構造を強固なものとしている。
【００８２】
四階ベランダＢ４と五階ベランダＢ５との間にも、補強用単管パイプ７５を垂直配置に、かつ、固定状態で起立させ、同様にベランダブラケット５１の支持構造を強固なものとしている。
【００８３】
更に、図１１に示す構築例の場合、図６に示す場合と同様に、前記枠組足場ユニット２３における一方の脚柱２４をベランダブラケット５１における連結ピン５８ａに、他方の脚柱２４を連結ピン５８ｃに各々嵌着して枠組足場ユニット２３を起立配置した場合を示している。
【００８４】
このような構造により、前記枠組足場ユニット２３の一対の脚柱２４、２４間の間隔がメーターサイズ規格で例えば９００ｍｍの広幅サイズである場合に対応した枠組足場構造体７１Ａを構築することができる。
【００８５】
また、前記枠組足場ユニット２３が、図示しないが、インチサイズである場合には、既述した場合と同様、前記連結ピン５８ａのスライド構造を利用して、前記連結ピン５８ａをスライドさせて前記連結ピン５８ｃとの間隔を変更することで対応するものである。
【００８６】
図１１に示すような態様の枠組足場用のベランダブラケット５１、該ベランダブラケット５１を用いた枠組足場構造体７１Ａによれば、例えば、マンション等の建造物８１Ａにおいて、一階ベランダＢ１ではなく、二階ベランダＢ２、三階ベランダＢ３等の上層階のベランダ等の一部だけ緊急に修繕対処しなければならない箇所が有り、足場が必要であるような事態が生じた場合に、上層階のみに前記ベランダブラケット５１を用いた枠組足場構造体７１Ａを構築することによって、当該上層階の修繕箇所の工事を地面や一階の部分に何等の影響を及ぼすことなく、すなわち、歩行者Ｍの走行障害や駐車場スペース狭小化、車両Ｃの入出庫制約というような不都合な事態の発生を回避しつつ確実に修繕工事等を実施することが可能となる。
【００８７】
また、図１１に示すベランダブラケット５１、該ベランダブラケット５１を用いた枠組足場構造体７１Ａによれば、安定性に優れ、足場板２５の幅を十分に確保することができ、また、物等の落下事故も防止することも可能となるという効果も奏する。
【００８８】
図１１に示す前記枠組足場構造体７１Ａにおいて、補強用単管パイプ７５に対しては、図示しないが既製品の養生金網を設置することも可能で、養生金網を設置すれば、万一、枠組足場構造体７１Ａから工具等の部材が下方に落下した場合でも、前記養生金網が当該部材が建造物８１Ａ外に落下する事を防止することができる。
【００８９】
図１１に示す前記枠組足場構造体７１Ａにおいて、補強用単管パイプ７５を使用しない場合には、枠組足場構造体７１Ａのクランプ５７を取り外すことが可能であり、クランプ５７を取り外すことにより、突起物がなくなり、建造物８１Ａ内の通路を歩く作業員等が万一ベランダブラケット５１に接触したような場合でも最大限に事故を無くす事が可能となる。
【００９０】
次に、本考案の実施例２のベランダブラケット５１の変形例であるベランダブラケット５１Ａについて図１２、図１３を参照して説明する。
【００９１】
なお、図１２、図１３に示すベランダブラケット５１Ａにおいて、図８、図９に示すベランダブラケット５１の場合と同一の要素には同一の符号を付し、その詳細説明は省略する。
【００９２】
変形例のベランダブラケット５１Ａは、既述したベランダブラケット５１と略同様な構成であるが、前記ベランダブラケット５１における垂直支持管５２、垂直補助管５４の下端部間に例えば角柱状のアタッチメント９１を添着したこと、垂直支持管５２の壁面に４個のクランプ５７Ａを配置したこと、締め付け金具５５Ａとして、中間部にメッキ仕様で直径２４ｍｍのねじ部９５を具備し、このねじ部９５の先端側に直径１００ｍｍの接触板９６を一体に取り付け、ねじ部９５の後端側に曲り加工による円形部９８を有する頭部９７を設けた構造を採用したことが特徴である。
【００９３】
前記アタッチメント９１は、両端部に一対の装着突部９２を具備し、この一対の装着突部９２を垂直支持管５２、垂直補助管５４の下端部から内方に各々嵌入するとともに、チェーン９３付の例えばグラビィティピンのような一対のピン９４を用いて、一方のピン９４が前記垂直支持管５２、装着突部９２を貫通し、他方のピン９４が前記垂直補助管５４、装着突部９２を貫通するように装着することで、前記アタッチメント９１を垂直支持管５２、垂直補助管５４の下端部に着脱可能に取り付けるように構成している。
【００９４】
前記チェーン９３は、その両端が前記ピン９４と前記アタッチメント９１とに取り付けられ、これにより、ピン９４が単独でアタッチメント９１から離脱しないようにしている。
【００９５】
前記垂直支持管５２の壁面に取り付けた４個のクランプ５７Ａは、これらのうち２個が垂直支持管５２の上端側近くに間隔をおいて配置され、また、他の２個が垂直支持管５２の略中央部と下端近くとに間隔をおいて配置されている。
【００９６】
前記締め付け金具５５Ａの頭部９７は、円形部９８の先端部をねじ部９５の末端側に溶接等で固着した構造としている。
【００９７】
なお、頭部９７を設ける替わりに、図示しないがねじ部９５に直接ナットを螺合する締め付け構造とすることもできる。
【００９８】
このような構成の変形例のベランダブラケット５１Ａによれば、マンション等の建造物８１Ａにおける一階ベランダＢ１等の垂直壁部７２や、図示しないが廊下手摺り等に設置するだけでなく、アタッチメント９１を利用して枠組足場２３等にも設置することが可能となる。
【００９９】
なお、上述した実施例２の連結ピン５８ｂ、連結ピン５８ｃは、例えば図１２に示すように水平支持管５３に対してねじ込み構造で着脱可能に構成している。実施例１の前記連結ピン６についても同様である。
【産業上の利用可能性】
【０１００】
本考案の枠組足場用の跳出しブラケット、ベランダブラケットは、特にマンション、各種ビルディング等の建造物における所望の上層階の壁面等に二本足で立ち上がる枠組足場を構築するための用具として広範に適用可能である。
【符号の説明】
【０１０１】
１    跳出しブラケット
２    垂直支持管
３    水平支持管
４    連結補強片
５    クランプ
６    連結ピン
７    脚柱受体
８ａ  連結ピン
８ｂ  連結ピン
９    脚柱受体
１０ａ  長穴
１０ｂ  長穴
１１    枠組足場構造体
１２    スライド管
２１    建造物
２２    単管パイプ
２３    枠組足場ユニット
２３Ａ  枠組足場ユニット
２４    脚柱
２５    足場板
２５Ａ  鋼製布板
３１    建造物
３２    水平張り出し部
４１    下部枠組足場
５１    ベランダブラケット
５１Ａ  ベランダブラケット
５２    垂直支持管
５３    水平支持管
５４    垂直補助管
５５    締め付け金具
５５Ａ  締め付け金具
５６    連結補強片
５７    クランプ
５７Ａ  クランプ
５８ａ  連結ピン
５８ｂ  連結ピン
５８ｃ  連結ピン
５９    脚柱受体
６０    スライド管
６１    長穴
７１    枠組足場構造体
７１Ａ  枠組足場構造体
７２    垂直壁部
７３    床面
７４    底面
７５    補強用単管パイプ
８１    建造物
８１Ａ  建造物
９１    アタッチメント
９２    装着突部
９３    チェーン
９４    ピン
９５    ねじ部
９６    接触板
９７    頭部
９８    円形部
Ｂ１    一階ベランダ
Ｂ２    二階ベランダ
Ｂ３    三階ベランダ
Ｂ４    四階ベランダ
Ｂ５    五階ベランダ
Ｂ６    六階ベランダ
Ｃ    車両
Ｆ    地面
Ｍ    歩行者
【図１】
0003195041.tif 000003
【図２】
0003195041.tif 000004
【図３】
0003195041.tif 000005
【図４】
0003195041.tif 000006
【図５】
0003195041.tif 000007
【図６】
0003195041.tif 000008
【図７】
0003195041.tif 000009
【図８】
0003195041.tif 000010
【図９】
0003195041.tif 000011
【図１０】
0003195041.tif 000012
【図１１】
0003195041.tif 000013
【図１２】
0003195041.tif 000014
【図１３】
0003195041.tif 000015